(57)【特許請求の範囲】
【請求項１】
複数本の光ファイバテープ心線と、二本以上のバンドル材と、を有する光ファイバユニットであって、
前記光ファイバテープ心線は、複数の光ファイバ心線が並列に配置された状態で、隣接する光ファイバ心線間が連結された連結部と、隣接する光ファイバ心線間が連結されていない非連結部とが長手方向に間欠的に設けられている間欠連結型光ファイバテープ心線であり、
前記光ファイバテープ心線は、複数本まとめて撚りあわされた集合体とされ、
少なくとも一本の前記バンドル材は前記集合体の周囲に螺旋状に巻き回された横巻きバンドル材であり、残りの少なくとも一本の前記バンドル材は前記集合体の長手方向に沿って縦添えされた縦添えバンドル材であり、
前記縦添えバンドル材は、前記集合体の中心に対して前記横巻きバンドル材の外側にあり、
前記横巻きバンドル材と前記縦添えバンドル材とが長手方向の少なくとも一箇所以上で溶着された溶着部を有しており、前記横巻きバンドル材の融点は、前記縦添えバンドル材の融点よりも低く、
前記横巻きバンドル材と接する側の前記縦添えバンドル材の融点は、反対側の融点よりも低い、
光ファイバユニット。
【請求項２】
少なくとも一本の前記バンドル材は、長手方向の一部のエッジ部に切れ目が入っている、請求項１に記載の光ファイバユニット。
【請求項３】
複数の前記光ファイバユニットと、当該複数の光ファイバユニットの外側を覆うケーブル外被と、を備えた光ファイバケーブルであって、
前記光ファイバユニットは、請求項１または請求項２に記載の光ファイバユニットである、光ファイバケーブル。
【請求項４】
請求項１または請求項２に記載の光ファイバユニットを製造する製造方法であって、
前記横巻きバンドル材を前記集合体の周囲に螺旋状に巻き回す工程と、
前記縦添えバンドル材を前記集合体の側方から繰り出して集合体に縦添えする工程と、
前記集合体上で前記横巻きバンドル材と前記縦添えバンドル材とを加熱ローラーに案内し、前記横巻きバンドル材の融点より高くかつ前記横巻きバンドル材と接しない側の前記縦添えバンドル材の融点よりも低い温度で前記加熱ローラーを加熱し、前記横巻きバンドル材を前記縦添えバンドル材に加熱溶着する工程と、を有する光ファイバユニットの製造方法。
【発明の詳細な説明】
【技術分野】
【０００１】
本発明は、光ファイバユニット、光ファイバケーブルおよび光ファイバユニットの製造方法に関する。
【背景技術】
【０００２】
光ファイバによる家庭向けのデータ通信サービス（ＦＴＴＨ：Ｆｉｂｅｒ  Ｔｏ  Ｔｈｅ  Ｈｏｍｅ）において、幹線光ファイバケーブルとして使用される、スロットレス型の光ファイバケーブルが知られている。スロットレス型の光ファイバケーブルでは、バンドル材で縛られた光ファイバユニットが主に用いられている（例えば、特許文献１〜４参照）。
【先行技術文献】
【特許文献】
【０００３】
【特許文献１】特許５２２４４０３号公報
【特許文献２】特開２０１３−８８５４９号公報
【特許文献３】特開２０１３−１９０６４１号公報
【特許文献４】特開２０１２−８８４５４号公報
【発明の概要】
【発明が解決しようとする課題】
【０００４】
スロットレス型の光ファイバケーブル等で使用される従来の光ファイバユニットは、光ファイバケーブルの端末で光ファイバユニットを取り出す際に、バンドル材が解けやすく、光ファイバユニットの識別性が損なわれるおそれがあった。そのため、従来技術では、例えば互いに逆向きに螺旋巻きされる一対のバンドル材の交差部を接着剤で接着して、バンドル材が解けることを防いでいる。
【０００５】
ところが、上記のように二本のバンドル材を交差巻にして、交点を接着させる場合、交点が長手方向でずれやすく、均一に接着させることが難しい。また、バンドル材を解く際に、交点がずれて光ファイバユニットを締め付けてしまい、光ファイバユニットを構成する光ファイバ心線に対して外傷や隣接する箇所で座屈するなどのダメージを与えるおそれがある。
【０００６】
また、例えば特許文献１、２、４などにおける接着剤の塗布によるバンドル材の接着は、接着剤が紫外線硬化型樹脂の場合は紫外線硬化装置が必要であり、ホットメルト接着剤の場合は硬化させるための冷却装置が必要でありコストがかかる。また、バンドル材が光ファイバ外被に接着しないように剥離剤を塗布したり、バンドル材同士は接着するが光ファイバ外被には接着しない特殊な接着剤等が必要となったりするため、さらにコストがかかってしまう。なお、例えば特許文献３のように、バンドル材（識別糸）を巻き付けた複数本の光ファイバの束を加熱装置の炉内に入れたり、熱風を吹き付けるなどして、バンドル材自体を加熱溶融してバンドル材の交差部を加熱溶着したりすれば、上記のようなコストは不要である。ところが、間欠連結型の光ファイバテープ心線からなる光ファイバユニットのバンドル材を上記のように溶着すると、熱の影響により、間欠連結型の光ファイバテープ心線が丸まった状態で癖が付く（ヒートセットさせる）という問題が生じる。
【０００７】
そこで、本発明の目的は、バンドル材を解体する際に内部の光ファイバ心線にダメージを与えることを防ぎ、かつ間欠連結型の光ファイバテープ心線のヒートセットを防ぐことができる光ファイバユニット、光ファイバケーブルおよび光ファイバユニットの製造方法を提供することにある。
【課題を解決するための手段】
【０００８】
本発明の一態様に係る光ファイバユニットは、複数本の光ファイバテープ心線と、二本以上のバンドル材と、を有する光ファイバユニットであって、
前記光ファイバテープ心線は、複数の光ファイバ心線が並列に配置された状態で、隣接する光ファイバ心線間が連結された連結部と、隣接する光ファイバ心線間が連結されていない非連結部とが長手方向に間欠的に設けられている間欠連結型光ファイバテープ心線であり、
前記光ファイバテープ心線は、複数本まとめて撚りあわされた集合体とされ、
少なくとも一本の前記バンドル材は前記集合体の周囲に螺旋状に巻き回された横巻きバンドル材であり、残りの少なくとも一本の前記バンドル材は前記集合体の長手方向に沿って縦添えされた縦添えバンドル材であり、
前記縦添えバンドル材は、前記集合体の中心に対して前記横巻きバンドル材の外側にあり、
前記横巻きバンドル材と前記縦添えバンドル材とが長手方向の少なくとも一箇所以上で溶着された溶着部を有しており、前記横巻きバンドル材の融点は、前記縦添えバンドル材の融点よりも低く、
前記横巻きバンドル材と接する側の前記縦添えバンドル材の融点は、反対側の融点よりも低い、
光ファイバユニット。
【０００９】
本発明の一態様に係る光ファイバケーブルは、複数の前記光ファイバユニットと、当該複数の光ファイバユニットの外側を覆うケーブル外被と、を備えた光ファイバケーブルであって、
前記光ファイバユニットは、上記本発明の一態様に係る光ファイバユニットである。
【００１０】
本発明の一態様に係る光ファイバユニットの製造方法は、上記本発明の一態様に係る光ファイバユニットを製造する製造方法であって、
前記横巻きバンドル材を前記集合体の周囲に螺旋状に巻き回す工程と、
前記縦添えバンドル材を前記集合体の側方から繰り出して集合体に縦添えする工程と、
前記集合体上で前記横巻きバンドル材と前記縦添えバンドル材とを加熱ローラーに案内し、前記横巻きバンドル材の融点より高くかつ前記横巻きバンドル材と接しない側の前記縦添えバンドル材の融点よりも低い温度で前記加熱ローラーを加熱し、前記横巻きバンドル材を前記縦添えバンドル材に加熱溶着する工程と、を有する。
【発明の効果】
【００１１】
本発明によれば、バンドル材を解体する際に内部の光ファイバ心線にダメージを与えることを防ぎ、かつ間欠連結型の光ファイバテープ心線のヒートセットを防ぐことができる。
【図面の簡単な説明】
【００１２】
【図１】本実施形態に係る光ファイバユニットの一例を示す模式図である。
【図２】間欠連結型光ファイバテープ心線の一例を示す平面図である。
【図３】本実施形態に係る光ファイバユニットの製造方法の一例を説明する模式図である。
【図４】本実施形態に係る光ファイバケーブルの一例を示す断面図である。
【発明を実施するための形態】
【００１３】
［本発明の実施形態の説明］
最初に本発明の実施形態を列記して説明する。
本発明の実施形態に係る光ファイバユニットは、
（１）  複数本の光ファイバテープ心線と、二本以上のバンドル材と、を有する光ファイバユニットであって、
前記光ファイバテープ心線は、複数の光ファイバ心線が並列に配置された状態で、隣接する光ファイバ心線間が連結された連結部と、隣接する光ファイバ心線間が連結されていない非連結部とが長手方向に間欠的に設けられている間欠連結型光ファイバテープ心線であり、
前記光ファイバテープ心線は、複数本まとめて撚りあわされた集合体とされ、
少なくとも一本の前記バンドル材は前記集合体の周囲に螺旋状に巻き回された横巻きバンドル材であり、残りの少なくとも一本の前記バンドル材は前記集合体の長手方向に沿って縦添えされた縦添えバンドル材であり、
前記縦添えバンドル材は、前記集合体の中心に対して前記横巻きバンドル材の外側にあり、
前記横巻きバンドル材と前記縦添えバンドル材とが長手方向の少なくとも一箇所以上で溶着された溶着部を有しており、前記横巻きバンドル材の融点は、前記縦添えバンドル材の融点よりも低く、
前記横巻きバンドル材と接する側の前記縦添えバンドル材の融点は、反対側の融点よりも低い。
【００１４】
上記（１）の光ファイバユニットは、横巻きバンドル材が縦添えバンドル材と溶着されているので、長手方向で溶着部が周方向にずれにくく、また、バンドル材を解く際に、内部の光ファイバ心線にダメージを与えることを防ぐことができる。
【００１５】
また、縦添えバンドル材よりも横巻きバンドル材の方が融点が低いので、例えば加熱ローラーなどにより縦添えバンドル材に沿って両者の融点の間の温度で加熱すれば、横巻きバンドル材のみを局所的に溶かし、交点位置のみを溶着させることができる。このように、交点位置のみを溶着すれば、例えば加熱装置の炉内に入れたり、熱風を吹き付けたり、といった、周囲から全体を加熱することなく、局所的な加熱で溶着することができるので、ヒートセットが抑制された間欠連結型の光ファイバテープ心線を有する光ファイバユニットとすることができる。
【００１６】
前記縦添えバンドル材は、前記集合体の中心に対して前記横巻きバンドル材の外側にあり、前記横巻きバンドル材と接する側の前記縦添えバンドル材の融点は、反対側の融点よりも低い。
縦添えバンドル材は、横巻きバンドル材と接する側の融点が低く、外側から加熱した場合、横巻きバンドル材側だけが溶けるので、例えば加熱ローラーなどで外側から加熱した場合、縦添えバンドル材を加熱ローラーに溶着させることなく、横巻きバンドル材との溶着性を高めることができる。
【００１７】
（２）  少なくとも一本の前記バンドル材は、長手方向の一部のエッジ部に切れ目が入っている。
光ファイバユニットを解体する際に、バンドル材を切れやすくすることができるので、光ファイバユニットの解体を容易にすることができる。
【００１８】
本発明の実施形態に係る光ファイバケーブルは、
（３）  複数の前記光ファイバユニットと、当該複数の光ファイバユニットの外側を覆うケーブル外被と、を備えた光ファイバケーブルであって、
前記光ファイバユニットは、上記（１）または（２）に記載の光ファイバユニットである。
光ファイバケーブルを中間分岐時などで解体する際に、内部の光ファイバ心線にダメージを与えることを防ぐことができる。
【００１９】
本発明の実施形態に係る光ファイバユニットの製造方法は、
（４）  上記（１）または（２）に記載の光ファイバユニットを製造する製造方法であって、前記横巻きバンドル材を前記集合体の周囲に螺旋状に巻き回す工程と、
前記縦添えバンドル材を前記集合体の側方から繰り出して集合体に縦添えする工程と、
前記集合体上で前記横巻きバンドル材と前記縦添えバンドル材とを加熱ローラーに案内し、前記横巻きバンドル材の融点より高くかつ前記横巻きバンドル材と接しない側の前記縦添えバンドル材の融点よりも低い温度で前記加熱ローラーを加熱し、前記横巻きバンドル材を前記縦添えバンドル材に加熱溶着する工程と、を有する。
【００２０】
上記光ファイバユニットの製造方法は、横巻きバンドル材を集合体の周囲に螺旋状に巻き回し、縦添えバンドル材を集合体の側方から繰り出して両者を溶着するので、長手方向で溶着部が周方向にずれにくく、均一に溶着させることが容易にできる。
【００２１】
また、集合体上で横巻きバンドル材と縦添えバンドル材とを加熱ローラーに案内し、横巻きバンドル材の融点より高くかつ前記横巻きバンドル材と接しない側の縦添えバンドル材の融点よりも低い温度で加熱ローラーを加熱することにより、交点位置のみで、横巻きバンドル材を縦添えバンドル材に溶着できる。このように、交点位置のみを溶着すれば、例えば加熱装置の炉内に入れたり、熱風を吹き付けたり、といった、光ファイバユニットの周囲から全体を加熱することなく、局所的な加熱で溶着することができるので、間欠連結型の光ファイバテープ心線のヒートセットを防ぐことができる。
【００２２】
［本発明の実施形態の詳細］
本発明の実施形態に係る光ファイバユニット、光ファイバケーブルおよび光ファイバユニットの製造方法の具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００２３】
本実施形態に係る光ファイバユニットについて図面を参照しつつ説明する。
図１は、本実施形態に係る光ファイバユニットの一例を示す模式図である。図２は、間欠連結型光ファイバテープ心線の一例を示す平面図である。
【００２４】
図１に示す光ファイバユニット１は、集合体２と、横巻きバンドル材３と、縦添えバンドル材４と、を有している。図１に示す集合体２は、光ファイバテープ心線１０が複数本まとめて撚り合わされたものである。光ファイバテープ心線１０は、図２に示すように、複数（図２の例では、１２本）の光ファイバ心線１１Ａ〜１１Ｌが並列に配置されている。この光ファイバ心線１１Ａ〜１１Ｌは、単心の被覆光ファイバである。なお、光ファイバ心線１１Ａ〜１１Ｌは、光ファイバ心線同士を識別できるように、それぞれ異なる色に被覆が着色されていてもよい。
【００２５】
光ファイバテープ心線１０は、間欠連結型の光ファイバテープ心線であり、複数の光ファイバ心線１１Ａ〜１１Ｌが並列に配置された状態で、隣接する光ファイバ心線１１Ａ〜１１Ｌ間が連結された連結部１２と、隣接する光ファイバ心線１１Ａ〜１１Ｌ間が連結されていない非連結部１３とが長手方向に間欠的に設けられている。このように、連結部１２と非連結部１３とが間欠的に設けられている箇所は、図２に示すように一部の光ファイバ心線１１Ａ〜１１Ｌ間であってもよく、または、全ての光ファイバ心線１１Ａ〜１１Ｌ間であってもよい。図２に示す例では、光ファイバ心線１１Ａと１１Ｂ、１１Ｃと１１Ｄ、１１Ｅと１１Ｆ、１１Ｇと１１Ｈ、１１Ｉと１１Ｊ、１１Ｋと１１Ｌ、の各線間には非連結部１３が設けられていない。
【００２６】
光ファイバテープ心線１０は、例えば、紫外線硬化型樹脂、熱硬化型樹脂等の連結樹脂を、間欠的に光ファイバ心線１１Ａ〜１１Ｌ間に塗布することで連結部１２と非連結部１３とを間欠的に形成するようにして作製してもよい。或いは、複数の光ファイバ心線１１Ａ〜１１Ｌに連結樹脂を塗布して、全ての光ファイバ心線１１Ａ〜１１Ｌを連結させてから、回転刃等で一部を切断して非連結部１３を作ることで、間欠連結型の光ファイバテープ心線１０を作製してもよい。
なお、上記連結樹脂は、光ファイバ心線１１Ａ〜１１Ｌの単心分離の作業を容易にするため、剥離性の良い樹脂としてもよい。
【００２７】
本実施形態に係る光ファイバユニット１の集合体２は、二本以上のバンドル材によって束ねられている。この二本以上のバンドル材のうち、少なくとも一本のバンドル材は、図１に示すように、集合体２の周囲に螺旋状に巻き回された横巻きバンドル材３である。また、残りの少なくとも一本のバンドル材は、図１に示すように、集合体２の長手方向に沿って縦添えされた縦添えバンドル材４である。
【００２８】
図１に示す例では、縦添えバンドル材４は、横巻きバンドル材３の外側に配置されている。なお、縦添えバンドル材４は、横巻きバンドル材３の内側に配置されていてもよい。
【００２９】
横巻きバンドル材３と縦添えバンドル材４とは、集合体２の長手方向で所定の間隔で交差している。この複数の交差点のうち、長手方向において少なくとも一箇所以上の交差点は、横巻きバンドル材３と縦添えバンドル材４とが溶着された溶着部５となっている。
【００３０】
また、横巻きバンドル材３の融点は、縦添えバンドル材４の融点よりも低くなっている。横巻きバンドル材３としては、例えばＰＥ、ＰＰ等の材料を用いてもよく、縦添えバンドル材４としては、例えばＰＥＴ等の材料を用いてもよい。また、適当な融点であれば、各々ＰＥ／ＰＰ／ＰＥＴの複合材料を用いても良い。
【００３１】
なお、縦添えバンドル材４は、横巻きバンドル材３との溶着性を高めるため、横巻きバンドル材３と接する側を反対側よりも低くしてもよい。例えば、縦添えバンドル材４は、高融点のＰＥＴ等の材料とするが、横巻きバンドル材３と接する側のみＰＥ等の低融点材料としてもよい。このようにすれば、縦添えバンドル材４は、横巻きバンドル材３と接する側の融点が低く、外側から加熱した場合、横巻きバンドル材３側だけが溶けるので、加熱ローラーなどに溶着させることなく、横巻きバンドル材３との溶着性を高めることができる。
【００３２】
なお、バンドル材のうち、少なくとも一本のバンドル材（横巻きバンドル材３または縦添えバンドル材４、或はその両方）は、長手方向の一部のエッジ部に切れ目が入っているようにしてもよい。なお、エッジ部とは、横巻きバンドル材３（または縦添えバンドル材４）における周方向の外周面部分である。エッジ部に切れ目が入っていることで、光ファイバユニット１を解体する際に、バンドル材（横巻きバンドル材３または縦添えバンドル材４、或はその両方）を切れやすくすることができるので、光ファイバユニット１の解体を容易にすることができる。
【００３３】
次に、本実施形態に係る光ファイバユニットの製造方法について、図３を参照して説明する。図３は、本実施形態に係る光ファイバユニットの製造方法の一例を説明する模式図である。
【００３４】
図２で示した光ファイバテープ心線１０を、撚り合せ部７で複数枚束ねて撚り合せて集合体２とする。撚り合せ部７から集合体２をＡ方向に送り出す。送り出された集合体２の周囲に、巻回部８から繰り出された横巻きバンドル材３を螺旋状に巻き回す。
【００３５】
また、縦添えバンドル材４を集合体２の側方から繰り出して、横巻きバンドル材３が巻き回された集合体２の長手方向に沿うように、縦添えバンドル材４を縦添えする。このようにして、集合体２上で横巻きバンドル材３と縦添えバンドル材４とを加熱ローラー９に案内する。
【００３６】
前述のように、横巻きバンドル材３の融点は、縦添えバンドル材４の融点よりも低くなっているので、加熱ローラー９の表面９ａが、横巻きバンドル材３の融点より高くかつ縦添えバンドル材４の融点よりも低い温度（例えば、１１０℃以上の所定の温度）となるように、加熱ローラー９を加熱する。
【００３７】
縦添えバンドル材４は、常に加熱ローラー９の表面９ａ側を通過する。このため、横巻きバンドル材３は、縦添えバンドル材４と交差する箇所で加熱ローラー９の表面９ａ上を通過する。横巻きバンドル材３は、加熱ローラー９の表面９ａ上で溶融し、縦添えバンドル材４と交差する箇所（溶着部５）で縦添えバンドル材４に溶着する。このように、加熱ローラー９を通して、横巻きバンドル材３を縦添えバンドル材４に加熱溶着することで、図１に示す光ファイバユニット１を形成できる。
【００３８】
なお、上記実施形態に係る光ファイバユニット１の製造方法では、先に横巻きバンドル材３を集合体２に巻き回し、その外側から縦添えバンドル材４を集合体２の長手方向に沿うようにしたが、先に縦添えバンドル材４を集合体２に縦添えし、その外側から横巻きバンドル材３を巻き回すようにしてもよい。その場合、縦添えバンドル材４は、横巻きバンドル材３の内側に配置される。但し、横巻きバンドル材３の融点は、縦添えバンドル材４の融点よりも低くなっているので、加熱ローラー９に溶着させないためには、縦添えバンドル材４を外側に沿わせる方が好ましい。
【００３９】
次に、図４を参照して、本実施形態に係る光ファイバケーブルを説明する。図４は、本実施形態の光ファイバユニットを使用したスロットレス型の光ファイバケーブルの一例を示す図である。
【００４０】
光ファイバケーブル２０は、複数の光ファイバユニット１と、複数の光ファイバユニット１の外側を覆うケーブル外被２１と、を備えている。
図４に示す例では、複数（５つ）の光ファイバユニット１を撚り合わせながらその周囲にチューブ２２となる樹脂が押し出し成形され、テンションメンバ２３と共にケーブル外被２１を被せて形成された構造となっている。なお、防水性を要求される場合は、チューブ２２の内側に吸水ヤーン等を挿入しても良い。また、ケーブル外被２１の内部に引き裂き紐２４を備えていてもよい。
【００４１】
（実施例）
本願発明者らは、上記本実施形態に係る光ファイバユニットの製造方法で製造された光ファイバユニット１を複数撚り合わせ、図４で示す構造の光ファイバケーブル２０を製造した。
【００４２】
光ファイバケーブル２０を解体し、１つの光ファイバユニット１を取り出した。取り出した光ファイバユニット１は、図１に示すような光ファイバテープ心線１０が複数本まとめて撚りあわされた集合体２となっており、この集合体２に縦添えされている縦添えバンドル材４を外側に引っ張った。縦添えバンドル材４を引っ張ることにより、溶着部５が順番に剥がれていった。溶着部５が剥がれると、横巻きバンドル材３は、光ファイバテープ心線１０を締め付けずに容易に解くことができた。このような作業により、所望の光ファイバテープ心線１０を取り出した。
【００４３】
以上のように、光ファイバケーブル２０の解体時には、光ファイバテープ心線１０を締め付けるような挙動は見られず、縦添えバンドル材４を長手方向に引っ張っていくことで簡単に光ファイバユニット１を解体することができた。
【００４４】
以上、詳述した本実施形態に係る光ファイバユニット１は、横巻きバンドル材３が縦添えバンドル材４と溶着されているので、溶着部５は縦添えバンドル材４に沿って設けられている。そのため、長手方向で溶着部５が周方向にずれにくく、また、バンドル材３，４を解く際に、内部の光ファイバ心線１１Ａ〜１１Ｌにダメージを与えることを防ぐことができる。
【００４５】
また、縦添えバンドル材４よりも横巻きバンドル材３の方が融点が低いので、例えば加熱ローラー９などにより縦添えバンドル材４に沿って両者の融点の間の温度で加熱すれば、横巻きバンドル材３のみを局所的に溶かし、交点位置（溶着部５）のみを溶着させることができる。このように、交点位置（溶着部５）のみを溶着すれば、例えば加熱装置の炉内に入れたり、熱風を吹き付けたり、といった、周囲から全体を加熱することなく、局所的な加熱で溶着することができるので、ヒートセットが抑制された間欠連結型の光ファイバテープ心線１０を有する光ファイバユニット１とすることができる。
【００４６】
また、本実施形態に係る光ファイバユニットの製造方法は、横巻きバンドル材３を集合体２の周囲に螺旋状に巻き回し、縦添えバンドル材４を集合体２の側方から繰り出して両者を溶着するので、長手方向で溶着部５が周方向にずれにくく、均一に溶着させることが容易にできる。
【００４７】
また、集合体２上で横巻きバンドル材３と縦添えバンドル材４とを加熱ローラー９に案内し、横巻きバンドル材３の融点より高くかつ縦添えバンドル材４の融点よりも低い温度で加熱ローラー９を加熱することにより、交点位置（溶着部５）のみで、横巻きバンドル材３を縦添えバンドル材４に溶着できる。また、局所的な加熱で溶着できるので、間欠連結型の光ファイバテープ心線１０のヒートセットを防ぐことができる。
【００４８】
また、本実施形態に係る光ファイバケーブル２０によれば、光ファイバケーブル２０を中間分岐時などで解体する際に、内部の光ファイバ心線１１Ａ〜１１Ｌにダメージを与えることを防ぐことができる。
【符号の説明】
【００４９】
１  光ファイバユニット
２  集合体
３  横巻きバンドル材
４  縦添えバンドル材
５  溶着部
７  撚り合せ部
８  巻回部
９  加熱ローラー
９ａ  加熱ローラーの表面
１０  光ファイバテープ心線
１１Ａ〜１１Ｌ  光ファイバ心線
１２  連結部
１３  非連結部
２０  光ファイバケーブル
２１  ケーブル外被
２２  チューブ
２３  テンションメンバ
２４  引き裂き紐
【図１】
0006409813.tif 000002
【図２】
0006409813.tif 000003
【図３】
0006409813.tif 000004
【図４】
0006409813.tif 000005